(57)【要約】【課題】導光照明板としての衝立を天板に簡便に取り付けることができ、衝立を含めた天板上の清掃、メンテナンス等が容易で、製造コストも安価で、外観意匠に優れ、デザイン設計の幅も広いキッチンカウンターを提供すること。【解決手段】導光衝立６が天板５に対して立設されているキッチンカウンター１であって、天板５には、導光衝立６の下端部が挿入される開孔部が設けられているとともに、導光衝立６は、その下端部が開孔部内に挿入されて立設状態とされ、立設状態とされた導光衝立６の下方には、その下端部より光を導入可能とする光源が配設され、導光衝立６は、光源からの導入光を放射して調理スペースを照明可能とされている。【選択図】図１
2011152210.tif 000002
【特許請求の範囲】
【請求項１】
導光衝立が天板に対して立設されているキッチンカウンターであって、天板には、導光衝立の下端部が挿入される開孔部が設けられているとともに、導光衝立は、その下端部が開孔部内に挿入されて立設状態とされ、立設状態とされた導光衝立の下方には、その下端部より光を導入可能とする光源が配設され、導光衝立は、光源からの導入光を放射して調理スペースを照明可能とされていることを特徴とするキッチンカウンター。
【請求項２】
天板の開孔部は、天板の表面部と裏面部とが貫通する貫通孔であり、裏面部には、貫通孔を下側から覆う支持部材が固定され、支持部材の上に光源が配置されていることを特徴とする請求項１に記載のキッチンカウンター。
【請求項３】
支持部材には、貫通孔下方に位置する領域に凹部が設けられており、この凹部の底部に光源が配置されるとともに、導光衝立の下端部が前記凹部内に挿入されていることを特徴とする請求項２に記載のキッチンカウンター。
【請求項４】
凹部内側には、凹部の底部側が幅小となるように段部が設けられ、導光衝立の下端面は、前記段部の上面に当接していることを特徴とする請求項３に記載のキッチンカウンター。
【請求項５】
導光衝立の背面には、光拡散処理が施され、導光衝立の表面側が面発光することを特徴とする請求項１から４いずれか一項に記載のキッチンカウンター。
【請求項６】
導光衝立の上端部には、光を前方に向って反射させる反射板を備えていることを特徴とする請求項１から４いずれか一項に記載のキッチンカウンター。
【請求項７】
導光衝立の上端部には、キッチンカウンター前方に屈曲する屈曲部を有することを特徴とする請求項１から４いずれか一項に記載のキッチンカウンター。
【発明の詳細な説明】
【技術分野】
【０００１】
本発明は、キッチンカウンターに関する。
【背景技術】
【０００２】
近年、例えば、アイランドキッチンなどと呼ばれる対面式のキッチンカウンターが普及している。なかでも、キッチンカウンターの天板が全面に亘ってフラットに形成されたタイプは、シンプルな外観から洗練された印象を与えるため、人気を得ている。
【０００３】
そして、このようなキッチンカウンターでは、キッチン作業のための照明器具の取り付けに関する様々な検討がなされている。
【０００４】
例えば、図９の断面図に示したように、特許文献１のキッチンカウンターでは、天板２１上面に、油跳ねガード又は水跳ねガードとしての衝立２２が立設されている。この衝立２２の内部を導光部とし、その下方に配置した光源２３からの光を上方へ導いて、頂部から光放射している。そして、この光放射によってキッチン作業側の天板２１上を照らすようにしている。
【０００５】
ただ、このキッチンカウンターでは、衝立２２の下端部を、天板２１上面に固定された支持体２４によって支持している。この支持体２４は、天板２１上面にボルト２５等で固定されるベース部２４aと、ベース部２４aおよび衝立２２の下端部を覆うガード部２４bとを凹凸嵌合させることで構成している。そして、このベース部２４aの内部空間に光源２３を設けている。
【０００６】
このため、特許文献１のキッチンカウンターは、各部材の構成が複雑であるため、製造コストを抑制するのが難しい。また、支持体２４および衝立２２の取り付けも容易ではないという問題がある。
【０００７】
さらに、天板２１上面に支持体２４が固定されていることから、支持体２４に水や油等が付着しやすく、支持体２４の清掃、メンテナンス等の作業負担が大きい。また、天板２１上面に光源２３が配置されているため、これを覆うためのガード部２４bを大きく形成する必要がある。したがって、天板２１上の支持体２４が目立ちやすく、キッチンカウンターの外観意匠は一体感に乏しかった。
【０００８】
一方、図１０の斜視図に示したように、特許文献２のキッチンカウンターでは、天板２１上面に固定された筒状の支持体２４によって導光照明板としての衝立２２の両側端部を支持するとともに、この支持体２４の内部に光源（図示していない）を収納している。
【０００９】
ただ、このキッチンカウンターにおいても、支持体２４は、天板２１上面に固定されるベース部２４aと、衝立２２の側端が挿嵌されるガード部２４bとによって構成されている。そして、ガード部２４bの内部に光源が収納されている。
【００１０】
したがって、特許文献１のキッチンカウンターと同様に、各部材の構成が複雑であるため、製造コストを抑制するのが難しく、支持体２４、衝立２２の取り付けも容易ではない。
【００１１】
さらに、天板２１上面に支持体２４が固定されていることから、支持体２４の清掃、メンテナンス等の作業負担が大きい。また、ガード部２４bの内部に光源が収納されていることから、支持体２４は全体として大きく形成されており、意匠性も満足できるものではなかった。さらに、衝立２２の側端部が支持されているため、衝立２２の形状を設計することが難しく、デザインの選択幅が少ないという問題もあった。
【先行技術文献】
【特許文献】
【００１２】
【特許文献１】特開2008-029610号公報
【特許文献２】特開2008-049045号公報
【発明の概要】
【発明が解決しようとする課題】
【００１３】
本発明は、導光照明板としての衝立を天板に簡便に取り付けることができ、衝立を含めた天板上の清掃、メンテナンス等が容易で、製造コストも安価で、外観意匠に優れ、デザイン設計の幅も広いキッチンカウンターを提供することを課題としている。
【課題を解決するための手段】
【００１４】
本発明は、以下のことを特徴としている。
【００１５】
第１の発明は、導光衝立が天板に対して立設されているキッチンカウンターであって、  天板には、導光衝立の下端部が挿入される開孔部が設けられているとともに、導光衝立は、その下端部が開孔部内に挿入されて立設状態とされ、立設状態とされた導光衝立の下方には、その下端部より光を導入可能とする光源が配設され、導光衝立は、光源からの導入光を放射して調理スペースを照明可能とされている。
【００１６】
第２の発明は、天板の開孔部は、天板の表面部と裏面部とが貫通する貫通孔であり、裏面部には、貫通孔を下側から覆う支持部材が固定され、支持部材の上に光源が配置されている。
【００１７】
第３の発明は、支持部材には、貫通孔下方に位置する領域に凹部が設けられており、この凹部の底部に光源が配置されるとともに、導光衝立の下端部が前記凹部内に挿入されている。
【００１８】
第４の発明は、凹部内側には、凹部の底側が幅小となるように段部が設けられ、導光衝立の下端面は、前記段部の上面に当接している。
【００１９】
第５の発明は、導光衝立の背面には、光拡散処理が施され、導光衝立の表面側が面発光する。
【００２０】
第６の発明は、導光衝立の上端部には、光を前方に向って反射させる反射板を備えている。
【００２１】
第７の発明は、導光衝立の上端部には、キッチンカウンター前方に屈曲する屈曲部を有する。
【発明の効果】
【００２２】
第１の発明では、天板に導光衝立の下端部が挿入される開孔部が設けられ、導光衝立は、その下端部が開孔部内に挿入されて立設状態とされている。そして、立設状態とされた導光衝立の下方には、その下端部より光を導入可能とする光源が配設されている。このため、調理スペースを照明可能な導光衝立を簡便かつ確実に取り付けることができ、キッチンカウンターの加工、製造コストを安価に抑えることができる。また、天板上には、導光衝立のみを立設することができるため、天板上の清掃が容易であり、意匠性、設計性にも優れている。
【００２３】
第２の発明では、天板の開孔部は、天板の表面部と裏面部とが貫通する貫通孔である。このため、天板の加工が容易である。また、裏面部には、貫通孔を下側から覆う支持部材が固定され、支持部材の上に光源が配置されている。このため、導光衝立の下端部を貫通孔内へ挿入することができ、天板の端部および支持部材により、さらに安定に導光衝立を保持、立設することができる。
【００２４】
第３の発明では、支持部材には、貫通孔下方に位置する領域に凹部が設けられており、この凹部の底部に光源が配置されるとともに、導光衝立の下端部が前記凹部内に挿入されている。このため、導光衝立の下端部を貫通孔の下方へより深く挿入することができ、さらに安定に導光衝立を保持、立設することができる。
【００２５】
第４の発明では、凹部内側には、凹部の底側が幅小となるように段部が設けられ、導光衝立の下端面は、前記段部の上面に当接している。このため、導光衝立の重量を前記段部に負担させることができ、長期に亘って安定した照明が可能である。
【００２６】
第５の発明では、導光衝立の背面には、光拡散処理が施され、導光衝立の表面側が面発光する。第６の発明では、導光衝立の上端部に、光源からの光を前方に反射させる反射板を備えている。第７の発明では、導光衝立の上端部は、キッチンカウンター前方に屈曲する屈曲部が形成されている。したがって、第５、６および７の発明によれば、確実にキッチンカウンター手前の調理スペースを照射することができる。
【図面の簡単な説明】
【００２７】
【図１】本発明のキッチンカウンターの一実施形態を例示した全体斜視図である。
【図２】本発明のキッチンカウンターにおける導光衝立の取付構造の一実施形態を例示した断面図である
【図３】本発明のキッチンカウンターにおける導光衝立の一実施形態を例示した概要図である。
【図４】本発明のキッチンカウンターにおける導光衝立の一実施形態を例示した概要図である。
【図５】本発明のキッチンカウンターにおける導光衝立の一実施形態を例示した概要図である。
【図６】本発明のキッチンカウンターにおける導光衝立の取付構造の一実施形態を例示した断面図である。
【図７】本発明のキッチンカウンターにおける導光衝立の取付構造の一実施形態を例示した断面図である。
【図８】本発明のキッチンカウンターにおける導光衝立の一実施形態を例示した概要図である。
【図９】従来のキッチンカウンターの衝立設置箇所の断面図である。
【図１０】従来のキッチンカウンターの斜視図である。
【発明を実施するための形態】
【００２８】
図１は、本発明のキッチンカウンターの一実施形態を例示した全体斜視図である。
【００２９】
図１の形態においては、キッチンカウンター１には、前面に、適宜、開閉自在な引き出し２等が設けられ、その上方には、シンク３、コンロ４等が設けられた天板５を有している。
【００３０】
キッチンカウンター１では、コンロ４の後方の天板５に導光衝立６が立設されている。この導光衝立６は、水や油がキッチンカウンター１の周囲へ飛散するのを抑制する。また、導光衝立６は、導光性を有しているとともに、図中矢印で示すように、調理スペースを所定の幅、所定の領域等において照射するための光放射性を有している。ここで、調理スペースとは、天板５上のシンク３、コンロ４周辺、まな板やボール等を配置して調理作業するための場所となり得るスペースをいう。導光衝立６については、その導光性を得るための材料としては、例えば、透明性を有するガラス板、アクリル板などを例示することができる。
【００３１】
そして、この導光性は、所定の平面、あるいは立体パターンであってもいいし、光強度、色相の調整が可能とされていてもよい。また、光放射性についても同様であって、増幅手段、反射手段、集光手段等を使用し、また組み合わせてもよい。
【００３２】
もちろん導光衝立６の配設位置は特に限定されず、例えば図１に示すように、コンロ４の後方であってもよいし、シンク３の後方、あるいはコンロ４とシンク３の両方の後方にも設けることもできる。導光衝立６の全体形状は、横方向に亘る長尺な形状とすることもできるし、分割された導光衝立６を横方向に亘って複数並設することもできる。
【００３３】
図２は、本発明のキッチンカウンターにおける導光衝立の取付構造の一実施形態を例示した断面図である。
【００３４】
図２の形態においては、天板５には、導光衝立６の下端部が挿入される開孔部として、天板５の表面部と裏面部とを貫通する貫通孔５aが設けられている。貫通孔５aの形状は、導光衝立６の長さ、幅等に対応させることができる。
【００３５】
天板５の裏面には、貫通孔５aを下側から覆う支持部材７が固定されている。支持部材７の形状は、貫通孔５aと同様に、導光衝立６の形状と対応させることができる。支持部材７は、ネジ等の固定部材８を用いて、下側から天板５裏面に固定することができる。
【００３６】
そして、導光衝立６の下端部は、貫通孔５a内に挿入されて立設状態となる。このとき、導光衝立６は、天板５の貫通孔５aを形成する端部５bによって側方から狭持されるとともに、支持部材７によって下側から支持される。
【００３７】
立設状態とされた導光衝立６の下方には、導光衝立６の下端部より光を導入可能とする光源９が配置されている。具体的には、例えば、貫通孔５a下方の支持部材７上に光源９を配設した後、貫通孔５a内へ導光衝立６の下端部を挿入することができる。また、例えば、導光衝立６の下端部に光源９を配設した後、この導光衝立６の下端部を貫通孔５a内へ挿入することもできる。
【００３８】
光源９としては、従来公知のものを含め、種々のものを使用することができる。例えば、蛍光灯、発光ダイオード（ＬＥＤ）、電球等を例示することができる。光源９には、適宜、電力供給ケーブル等を接続することができる。
【００３９】
そして、キッチンカウンター１は、上記のとおり、光源９からの導入光を導光衝立６から放射させ、キッチンカウンター１手前の調理スペースを照明することができる。
【００４０】
このように、導光衝立６の下端部は、貫通孔５a内で安定に保持されるため、天板５上には、導光衝立６のみを立設することができる。したがって、キッチンカウンター１の天板５上はフラットであり、導光衝立６を含む天板５上の清掃等が容易である。さらに、外観意匠も洗練された印象を与える。また、天板５の貫通孔５aおよび支持部材７によって導光衝立６を簡便かつ確実に取り付けることができる。このため、キッチンカウンター１は、加工、製造コストも安価に抑えることができる。
【００４１】
図３、図４、図５は、本発明のキッチンカウンターにおける導光衝立の一実施形態を例示した概要図である。天板、支持部材などは省略する。
【００４２】
図３に示した実施形態では、導光衝立６の背面に光拡散処理６aが施されている。ここで、光拡散処理６aとは、例えば、光拡散剤印刷や、ブラスト処理、ドット状凹凸形成などの公知の粗面加工による処理等をいう。また、例えば、光拡散処理６aとして、木目調の柄やキャラクターの図柄を形成することで照明時に図柄を浮き上がらせ、デザイン性を向上させることもできる。
【００４３】
このように、導光衝立６の背面に光拡散処理６aを施すことによって、導光衝立６内部に導入された光源９からの照射光を、導光衝立６の前面の全体または一部から放射させることができる。このため、キッチンカウンター手前の調理スペースを照明することができ、調理作業をスムーズに行なうことができる。
【００４４】
図４に示した実施形態では、導光衝立６は、上端部に反射板６bを備えている。したがって、導光衝立６内部に導入された光源９からの照射光は、導光衝立６の上端から出光した後、反射板６bによって反射され前方へ放射される。このため、この反射光によってキッチンカウンター手前の調理スペースを照明することができる。
【００４５】
なお、反射板６bは、公知の材料を適宜選択することができる。また、反射板６bの形状や、角度は、照明領域に応じて適宜設計することができ、例えば、複数方向へ反射光を照射するように設計することもできる。
【００４６】
図５に示した実施形態では、導光衝立６の上端部に、前方に屈曲する屈曲部６cを有している。したがって、導光衝立６内部に導入された光源９からの照射光は、屈曲部６cを通じて導光衝立６の上端から放射され、キッチンカウンター手前の調理スペースを照明することができる。屈曲部６cの屈曲角度は、照明領域に応じて適宜設計することができる。
【００４７】
図６は、本発明のキッチンカウンターにおける導光衝立の取付構造の一実施形態を例示した断面図である。図６において、図２と共通する部分には同一の符号を付し、以下では説明を省略する。
【００４８】
天板５の裏面に固定されている支持部材７は、貫通孔５aの下方に位置する領域に凹部１０が設けられている。凹部１０の長さ、幅は、導光衝立６の長さ、幅に対応させることができる。
【００４９】
そして、この凹部１０の底部１０aには、光源９が配置されている。さらに、貫通孔５a内に挿入された導光衝立６の下端部は、凹部１０の両壁部１０bの間に挿入、狭持されている。光源９は、導光衝立６の下方に配置されている。
【００５０】
したがって、導光衝立６の下端部を貫通孔５aの下方に深く挿入することができる。このため、より安定に導光衝立６を保持、立設することができる。
【００５１】
また、凹部１０の深さは、適宜設計することができる。凹部１０の深さを深くすると、より深く導光衝立６を挿入することができるため、導光衝立６の立設安定性は向上する。
【００５２】
図７は、本発明のキッチンカウンターにおける導光衝立の取付構造の一実施形態を例示した断面図である。図７において、図２と共通する部分には同一の符号を付し、以下では説明を省略する。
【００５３】
天板５の裏面に固定されている支持部材７は、貫通孔５aの下方に位置する領域に凹部１０が設けられている。凹部１０の長さ、幅は、導光衝立６の長さ、幅に対応させることができる。
【００５４】
さらに、凹部１０の内側には、凹部１０の底部１０a側が幅小となるように段部１１が設けられている。この段部１１の下方の凹部１０の底部１０aには、光源９が配置されている。
【００５５】
導光衝立６の下端部は、凹部１０の両壁部１０bの間に挿入、狭持されている。このため、導光衝立６の下端部を貫通孔５aの下方に深く挿入することができる。また、導光衝立６の下端面６dの一部は、凹部１０内側の前記段部１１の上面１１aに当接している。このため、導光衝立６の重量を段部１１に負担させることができる。
【００５６】
したがって、導光衝立６による光源９の傷付き、破損の恐れがなく、長期に亘って安定した照射が可能になる。
【００５７】
図８は、本発明のキッチンカウンターにおける導光衝立の一実施形態を例示した概要図である。
【００５８】
導光衝立６の形状は、図１に例示した長方形のみならず、例えば、図８に例示したように、扇形状とすることもできる。この場合、扇の外縁上に導光材１２を配設することができ、光源９からの照射光は、前記導光材１２の内部において、図中矢印Ｘ方向に導入される。そして、この導光材１２から、前方の調理スペースへ光を放射することができる。このように、導光衝立６の形状を様々にデザイン設計することができる。
【００５９】
なお、本発明のキッチンカウンターは、上記の実施形態に限定されることはない。図２、図６、図７では、開口部として貫通孔５aが設けられている形態を例示したが、例えば、非貫通の開孔部として、天板上に凹部を形成することができる。この場合、凹部内に光源を配置し、導光衝立の下端部を挿入、収納することで、凹部の内壁に導光衝立の下端部を狭持して、導光衝立を立設状態とすることもできる。さらに、この場合、凹部内に凹部の形状と対応する容器を収納し、この容器の中に、光源及び導光衝立の下端部を収納することもできる。容器を利用することで、容器ごと導光衝立を取り代えることができるため、清掃、メンテナンスが容易である。
【００６０】
また、その他、例えば、開孔部に挿入された導光衝立と天板の間に、適宜、パッキン等を介在させることもできる。
【符号の説明】
【００６１】
１  キッチンカウンター
５  天板
６  導光衝立
７  支持部材
９  光源
１０  凹部
１１  段部
【図１】
2011152210.tif 000003
【図２】
2011152210.tif 000004
【図３】
2011152210.tif 000005
【図４】
2011152210.tif 000006
【図５】
2011152210.tif 000007
【図６】
2011152210.tif 000008
【図７】
2011152210.tif 000009
【図８】
2011152210.tif 000010
【図９】
2011152210.tif 000011
【図１０】
2011152210.tif 000012